(57)【要約】【課題】対より線心の位置ズレを防止して漏話特性の向上に寄与することが可能な柔軟性のある通信ケーブルを提供する。【解決手段】介在２３の周囲に４対の対より線心２２を配置し、この状態から撚り合わせを行う。４対の対より線心２２の撚り合わせを行うと、これらの中心に位置する介在２３には、４対の対より線心２２がそれぞれ接触し、次第に線心撚り合わせ時の張力によって潰れが生じる。この時、介在２３は、撚り合わせた４対の対より線心２２の中心に位置するのは勿論のこと、絶縁線心２９の側面にまで密着してこの側面を覆うようにして不均一に潰れる。４対の対より線心２２は、介在２３によってこれらの位置が固定される。【選択図】図３
2008300305.tif 000002
【特許請求の範囲】
【請求項１】
介在を中心にして該介在の周囲に複数本の対より線心を集合させた構成を有する通信ケーブルにおいて、
前記介在は、該介在を中心にして複数本の前記対より線心の撚り合わせをする際に、該対より線心を構成する絶縁線心の側面にて押圧されて不均一に変形する
ことを特徴とする通信ケーブル。
【請求項２】
請求項１に記載の通信ケーブルにおいて、
前記介在は、発泡させた樹脂組成物よりなる
ことを特徴とする通信ケーブル。
【請求項３】
請求項１又は請求項２に記載の通信ケーブルにおいて、
複数本を撚り合わせた後の前記対より線心の外側に粗巻きテープを施す
ことを特徴とする通信ケーブル。
【発明の詳細な説明】
【技術分野】
【０００１】
本発明は、介在の周囲に複数本の対より線心を集合させた構成を有する通信ケーブルに関する。
【背景技術】
【０００２】
米国電子工業会／米国通信工業会（ＥＩＡ／ＴＩＡ）−５６８−Ｂ規格のカテゴリー５に適合する通信ケーブルとしては、例えば下記特許文献１に開示された技術のものが知られている。以下、図６を参照しながら下記特許文献１に開示された通信ケーブルについて説明する。
【０００３】
図６（ａ）において、通信ケーブル１は、導体２をポリエチレンからなる絶縁体３で被覆して絶縁線心４を形成し、この絶縁線心４の２本を撚り合わせて（２線心を撚り合わせて）１本の対より線心５を形成し、そして、この対より線心５の４対を図６（ａ）中に示す如く集合させ、最後にチューブ状のシース６を被せることにより製造されている。尚、図６（ａ）中において、対より線心５が内接する円は、絶縁線心４の２本を撚り合わせていることを示す仮想円である。
【０００４】
上記通信ケーブル１は、次のような問題点を有している。すなわち、対より線心５が内接する円は上記の如く仮想円であり、図面上では４対の対より線心５が位置ズレのない状態で示されているものの、実際には図６（ｂ）に示す如くチューブ状のシース６内で４対の対より線心５が断面積の範囲内で自由に配置を変えてしまうことから、対より線心５間の距離が、対撚りピッチの周期性を持って変化してしまう。これにより漏話特性に影響を来すという問題点を有している。この問題点で挙げた現象は、通信ケーブル１を最小曲率半径で固定した場合に、或いは、車載した時などの振動が加わる場合等に顕著である。
【０００５】
そこで、例えば下記特許文献２に開示された通信ケーブル７（図６（ｃ））のように、対より線心８間の中心に十字形状の十字型中心介在９を挿入すれば、上記問題点の解消になると考えられる。
【特許文献１】特開平９−１３９１２１号公報
【特許文献２】特開平１１−５３９５８号公報
【発明の開示】
【発明が解決しようとする課題】
【０００６】
対より線心８間の中心に十字型中心介在９を挿入すれば漏話特性の向上に寄与するものの、次のような問題点が生じてしまうことになる。すなわち、特許文献２に開示された通信ケーブル７は、十字型中心介在９の挿入により柔軟性が劣ってしまうという問題点を有している。柔軟性が劣る通信ケーブル７は、特に車載用として不向きである。
【０００７】
本発明は、上述した事情に鑑みてなされたもので、対より線心の位置ズレを防止して漏話特性の向上に寄与することが可能な柔軟性のある通信ケーブルを提供することを課題とする。
【課題を解決するための手段】
【０００８】
上記課題を解決するためになされた請求項１記載の本発明の通信ケーブルは、介在を中心にして該介在の周囲に複数本の対より線心を集合させた構成を有する通信ケーブルにおいて、前記介在は、該介在を中心にして複数本の前記対より線心の撚り合わせをする際に、該対より線心を構成する絶縁線心の側面にて押圧されて不均一に変形することを特徴としている。
【０００９】
このような特徴を有する本発明によれば、製造過程において複数本の対より線心の撚り合わせを行うと、中心に位置する介在は、線心撚り合わせ時の張力により潰れが生じる。介在は、撚り合わせた対より線心の中心に位置するのは勿論のこと、対より線心を構成する絶縁線心の側面にまで密着してこの側面を覆うようにして潰れる。
【００１０】
対より線心は、絶縁線心の２本を撚り合わせてなる構成であり、この対より線心をケーブル長手方向で見た場合、ケーブル中心軸位置から絶縁線心までの距離が撚り合わせの関係から異なるが、本発明によれば介在が不均一に潰れて絶縁線心の側面に達して密着することから、上記距離の違いを吸収する。つまり、対より線心が断面積の範囲内で自由に配置を変えるようなことは起こらない。本発明によれば、対より線心の配置が安定するようになる。尚、介在がケーブル長手方向にわたって同じ形状で潰れる場合は、上記の距離の違いを吸収することができず、結果、配置が変わってしまうことになる。
【００１１】
請求項２記載の本発明の通信ケーブルは、請求項１に記載の通信ケーブルにおいて、前記介在は、発泡させた樹脂組成物よりなることを特徴としている。
【００１２】
このような特徴を有する本発明によれば、発泡させることにより介在が潰れ易くなる。また、ケーブル自体の柔軟性に影響を来すようなこともなくなる。さらに、重量面でも効果的になる。
【００１３】
請求項３記載の本発明の通信ケーブルは、請求項１又は請求項２に記載の通信ケーブルにおいて、複数本を撚り合わせた後の前記対より線心の外側に粗巻きテープを施すことを特徴としている。
【００１４】
このような特徴を有する本発明によれば、撚り合わせた後の複数本の対より線心の固定状態が安定する。
【発明の効果】
【００１５】
請求項１に記載された本発明によれば、対より線心の位置ズレを防止して漏話特性の向上に寄与することができるという効果を奏する。
【００１６】
請求項２に記載された本発明によれば、ケーブルの柔軟性を従来よりも向上させることができるという効果を奏する。
【００１７】
請求項３に記載された本発明によれば、対より線心の固定を一層安定させることができるという効果を奏する。
【発明を実施するための最良の形態】
【００１８】
以下、図面を参照しながら説明する。図１は本発明の通信ケーブルの一実施の形態を示す図である。また、図２は製造時における対より線心の撚り合わせを示す斜視図、図３は介在の経時変化を示す断面図、図４は介在の変形状態を示す斜視図、図５は近端漏話減衰量による漏話特性を示すグラフである。
【００１９】
図１において、引用符号２１は本発明の通信ケーブルを示している。ここでの通信ケーブル２１は、特に限定するものではないが、車載用のＬＡＮケーブルとして使用されるようになっている。通信ケーブル２１は、４対の対より線心２２と、本発明の要旨となる介在２３とを集合させた構成及び構造を有している。また、通信ケーブル２１は、粗巻きテープ２４を施し、この外側に静電遮蔽層２５を設け、さらに外側にシース２６を設けた構成及び構造を有している（この構成は一例であるものとする）。以下、上記の各構成について説明する。
【００２０】
対より線心２２は、導電性を有する金属製の導体２７を例えばポリエチレンからなる絶縁体２８で被覆して絶縁線心２９を先ず形成し、次にこの絶縁線心２９の２本を所定のピッチで撚り合わせて（２線心を撚り合わせて）１本にすることにより形成されている。本形態では対より線心２２は４対であるが、これに限らず２対や５対等であっても良いものとする。
【００２１】
ここで図１の補足説明をする。図１中において、４対の対より線心２２は、絶縁線心２９の２線心が全て紙面横方向に並んだように示されているが、別の位置でのケーブル断面にすれば、２線心は縦方向や斜め方向に並ぶようになっている。これは撚り合わせの位置によって２線心の向きが変わるからである。
【００２２】
介在２３は、４対の対より線心２２間の中心に位置するように配置されている。介在２３は、発泡ポリウレタン、発泡ポリオレフィン等の発泡させた樹脂組成物を断面円形状に形成してなるものであって、スポンジ状であることから、４対の対より線心２２の撚り合わせによって図示の如く不均一に潰れる（変形する）ようになっている（不均一に潰れるのであれば、スポンジ状でなくとも良いものとする。本形態では発泡ポリウレタン介在となっている）。介在２３は、柔軟性を有しており、ケーブル自体の柔軟性に支障を来さないようになっている。介在２３は、不均一に潰れるものの、４対の対より線心２２間の中心に必ず一部が存在するとともに、４対の対より線心２２が互いに必要以上に近接しないような隔壁のような機能を有するものとする。
【００２３】
介在２３を中心にして４対の対より線心２２を撚り合わせた後にこの外側に施される粗巻きテープ２４は、対より線心２２の固定状態を安定させるために施されている。尚、粗巻きテープ２４を施すことは任意であるものとするが、粗巻きテープ２４を施すことにより、４対の対より線心２２の位置固定が強化され、特に漏話特性や特性インピーダンス、近端漏話減衰等の電気的特性が向上する。従って、粗巻きテープ２４を施すことが好ましい。
【００２４】
粗巻きテープ２４の外側の静電遮蔽層２５は、静電遮蔽をするために設けられている（静電遮蔽層２５を設けずにＵＴＰケーブルの構成及び構造にしても良いものとする）。静電遮蔽層２５は、銅テープ、アルミテープ、ドレンワイヤと共にアルミ箔貼り付きプラスチックテープ等の金属テープからなるものであって、この金属テープを横巻き又は縦添えにすることによって形成されている。
【００２５】
シース２６は、通信ケーブル２１の一番外側に存在する外皮であって、チューブ状に形成されている。シース２６は、例えばビニル混合物（ＰＶＣ）の押出成形によって形成されている。
【００２６】
次に、上記構成に基づきながら通信ケーブル２１の製造について説明する。説明は、図１ないし図４を参照するものとする。
【００２７】
絶縁線心２９の２本を所定のピッチで撚り合わせ、１本の対より線心２２を形成する。この対より線心２２は４対形成する。また、発泡ポリウレタンからなる介在２３を断面円形状に形成する。この後、図２に示す如く、介在２３を４対の対より線心２２間の中心に位置するように配置して、言い換えれば介在２３の周囲に４対の対より線心２２を集合させて、それぞれに張力を掛けながら４対の対より線心２２の撚り合わせを行う。
【００２８】
４対の対より線心２２の撚り合わせを行うと、介在２３は絶縁線心２２の側面にて押圧されて不均一に変形する。具体的に説明すると、図３（ａ）に示す如く、先ず介在２３の周囲に４対の対より線心２２を配置し、この状態から撚り合わせを行う。４対の対より線心２２の撚り合わせを行うと、これらの中心に位置する介在２３には、４対の対より線心２２がそれぞれ接触し、図３（ｂ）に示す如く次第に線心撚り合わせ時の張力によって潰れが生じる。この時、介在２３は、撚り合わせた４対の対より線心２２の中心に位置するのは勿論のこと、図３（ｃ）に示す如く絶縁線心２９の側面にまで密着してこの側面を覆うようにして不均一に潰れる（図４は比較的均一に潰れた状態の介在２３を示す）。４対の対より線心２２は、介在２３によってこれらの位置が固定される。
【００２９】
撚り合わせを行うことによって、４対の対より線心２２と介在２３とを集合させた後、４対の対より線心２２の位置固定を一層強化するために、図１に示す如く粗巻きテープ２４を施す。そして、この外側に静電遮蔽層２５を設け、さらに外側にシース２６を設けると、一連の作業工程が完了して本発明の通信ケーブル２１が製造される。
【００３０】
続いて、本発明の通信ケーブル２１の効果を説明する。ここでの通信ケーブル２１の効果は、図５に示す如くの近端漏話減衰量のグラフから得られる効果についてである。
【００３１】
特に図示しないが、通信ケーブル２１と、背景技術の欄で説明した一般的な通信ケーブル１（図６（ａ）参照）とをそれぞれ９０ｍ用意して、これらを振動試験器に固定するとともに、ケーブル端末をネットワークアナライザに接続して伝送特性を測定する。尚、測定にあたり、振動加速度を０．５Ｇ、振動周波数を１００Ｈｚ〜２ｋＨｚで設定して行う。
【００３２】
図５において、実線が近端漏話減衰量の規格値を示すグラフ、×印を含む線が比較例となる一般的な通信ケーブル１（図６（ａ）参照）の近端漏話特性を示すグラフ、○印を含む線が本発明の通信ケーブル２１の近端漏話特性を示すグラフである。
【００３３】
測定により、図５に示す如く本発明の通信ケーブル２１は近端漏話特性に向上が見られた。これは、スポンジ状で不均一に潰れる介在２３によって、振動が加わっても４対の対より線心２２の間隔が変化しないためであると考えることができる。
【００３４】
従って、本発明の通信ケーブル２１は、漏話特性の向上に寄与することができるという効果を奏する（車載時などの振動が加わるような場合において、漏話特性を従来よりも向上させることができるという効果を奏する）。
【００３５】
この他、本発明の通信ケーブル２１は、柔軟性を有する介在２３を用いることから、ケーブル柔軟性を従来よりも格段に向上させることができるという効果を奏する。
【００３６】
本発明は本発明の主旨を変えない範囲で種々変更実施可能なことは勿論である。
【図面の簡単な説明】
【００３７】
【図１】本発明の通信ケーブルの一実施の形態を示す断面図である。
【図２】製造時における対より線心の撚り合わせを示す斜視図である。
【図３】介在の経時変化を示す断面図である。
【図４】介在の変形状態を示す斜視図である。
【図５】近端漏話減衰量による漏話特性を示すグラフである。
【図６】従来例の通信ケーブルを示す断面図である。
【符号の説明】
【００３８】
２１  通信ケーブル
２２  対より線心
２３  介在
２４  粗巻きテープ
２５  静電遮蔽層
２６  シース
２７  導体
２８  絶縁体
２９  絶縁線心
【図１】
2008300305.tif 000003
【図２】
2008300305.tif 000004
【図３】
2008300305.tif 000005
【図４】
2008300305.tif 000006
【図５】
2008300305.tif 000007
【図６】
2008300305.tif 000008